(57)【要約】【課題】送信信号における信号欠如を適切に検知でき、適切な処理を速やかに行うことができる無線通信装置を提供する。【解決手段】本発明のＲＲＵ（リモートラジオユニット）３は、プリアンブル信号を含んだプリアンブル区間が周期的に配置された送信信号がＢＢＵ２から与えられる。ＲＲＵ３は、プリアンブル区間から取得された取得信号から求められた相関値に基づいて、前記送信信号における信号欠如の有無を判定する第二判定部４９を備えている。【選択図】図４
2012156633.tif 000002
【特許請求の範囲】
【請求項１】
既知信号を含んだ区間が周期的に配置された送信信号がベースバンド処理装置から与えられる無線通信装置であって、
前記送信信号中の既知信号の検出結果に基づいて、前記送信信号における信号欠如の有無を判定する判定部を備えていることを特徴とする無線通信装置。
【請求項２】
前記送信信号における前記区間に含まれる信号を取得する信号取得部と、
前記信号取得部が取得した取得信号に基づいた相関値を、前記送信信号中の既知信号の検出結果として求める相関値計算部と、をさらに備え、
前記判定部は、前記相関値計算部が求めた相関値に基づいて、前記送信信号における信号欠如の有無を判定する請求項１に記載の無線通信装置。
【請求項３】
前記送信信号が入力信号として入力されるとともに増幅された前記送信信号を出力信号として出力する増幅器と、
前記増幅器の入出力特性に生じる歪補償を行う歪補償部と、をさらに備え、
前記信号取得部は、前記入力信号における前記区間に含まれる信号、及び、前記出力信号における前記区間に含まれる信号を取得して前記相関値計算部及び前記歪補償部に与える請求項２に記載の無線通信装置。
【請求項４】
前記相関値計算部は、互いに異なる区間から取得された二つの取得信号を用いて相関値を求める請求項２又は３に記載の無線通信装置。
【請求項５】
前記既知信号を記憶するための記憶部をさらに備え、
前記相関値計算部は、前記信号取得部が取得した取得信号と、前記記憶部に予め記憶された前記既知信号との間の相関値を求める請求項２又は３に記載の無線通信装置。
【請求項６】
前記信号取得部は、所定の時間間隔で前記送信信号における前記区間に含まれる信号を取得し、
前記相関値が予め定めた第一の閾値より小さい場合、前記信号取得部による前記取得信号を取得する時間間隔を小さくする制御を行う手段をさらに備えている請求項２〜５のいずれか一項に記載の無線通信装置。
【請求項７】
前記判定部は、前記相関値を、予め定めた第二の閾値より小さいと判定した回数に基づいて、前記送信信号における信号欠如の有無を度合として判定する請求項２〜６のいずれか一項に記載の無線通信装置。
【請求項８】
前記判定部は、前記信号欠如の度合を、軽度の信号欠如か、重度の信号欠如のいずれであるかを判定し、
軽度の信号欠如と判定する場合、前記ベースバンド処理装置に対して警告の通知、及び／又は、この判定についてのログの記録を行う手段と、
重度の信号欠如と判定する場合、前記送信信号の送信停止、及び／又は、自装置の再起動を行う手段と、をさらに備えている請求項７に記載の無線通信装置。
【請求項９】
前記相関値が、予め設定された前記送信信号に信号欠如が無いと判定しうる第三の閾値以上でかつ、前記第三の閾値よりも大きい値に設定された第四の閾値よりも小さいと前記判定部が判定すると、この判定についてのログを残す手段をさらに備えている請求項２〜８のいずれか一項に記載の無線通信装置。
【請求項１０】
ベースバンド処理装置と、
既知信号を含んだ区間が周期的に配置された送信信号が前記ベースバンド処理装置から与えられる無線通信装置と、を備えた無線通信システムであって、
前記無線通信装置は、
前記送信信号中の既知信号の検出結果に基づいて、前記送信信号における信号欠如の有無を判定する判定部を備えていることを特徴とする無線通信システム。
【発明の詳細な説明】
【技術分野】
【０００１】
本発明は、リモートラジオユニットといった無線通信装置、及びこれを用いた無線通信システムに関する。
【背景技術】
【０００２】
近年、無線基地局装置などの無線通信システムとして、ベースバンド信号処理部と無線通信部とを分離した構成が増加している。無線通信部は、アンテナ直下に設置され、ベースバンド信号処理部は、無線通信部から離れた位置に設置される。ベースバンド信号処理部と無線通信部とは、光ファイバなどの伝送路を用いた回線で接続される。
上記無線通信部は、リモートラジオユニット（ＲＲＵ；Ｒｅｍｏｔｅ  Ｒａｄｉｏ  Ｕｎｉｔ）とよばれる。なお、リモートラジオユニットは、リモートラジオヘッド（ＲＲＨ；Ｒｅｍｏｔｅ  Ｒａｄｉｏ  Ｈｅａｄ）とよばれることもある。
また、ベースバンド信号処理部及びその他の機能を有する装置は、ベースバンドユニット（ＢＢＵ；Ｂａｓｅ  Ｂａｎｄ  Ｕｎｉｔ）とよばれる（例えば、特許文献１参照）。
【０００３】
ベースバンドユニットとリモートラジオヘッドとの間の接続インターフェースとしては、ＣＰＲＩ（Ｃｏｍｍｏｎ  Ｐｕｂｌｉｃ  Ｒａｄｉｏ  Ｉｎｔｅｒｆａｃｅ）や、ＯＢＳＡＩ（Ｏｐｅｎ  Ｂａｓｅ  Ｓｔａｔｉｏｎ  Ｓｔａｎｄａｒｄ  Ｉｎｉｔｉａｔｉｖｅ）などの標準規格が制定されている。これら接続インターフェースによる回線では、ベースバンドＩＱ信号用のチャネルのほか、イーサネット（登録商標）チャネルを論理的に設定することができる。
【先行技術文献】
【特許文献】
【０００４】
【特許文献１】特開２００９−０７７２５２
【発明の概要】
【発明が解決しようとする課題】
【０００５】
上記無線通信システムでは、ＢＢＵと、ＲＲＵとの間で無線送信すべきデータ信号（送信信号）を伝送する際に、両者を接続する回線でＬＯＳ（Ｌｏｓｓ  Ｏｆ  Ｓｉｇｎａｌ）や、ＬＯＦ（Ｌｏｓ  Ｏｆ  Ｆｌａｍｅ）といった送信信号における信号欠如が発生する場合がある。
上記送信信号において信号欠如が発生すると、無線通信に支障をきたすため、信号欠如を検知し適切な処理を速やかに行う必要がある。
【０００６】
上記送信信号の信号欠如は、ＢＢＵとＲＲＵとを接続する回線で生じた場合、ＢＢＵ側では検知することが困難な場合がある。従って、ＲＲＵ側で検知し処理することが適当である。
【０００７】
ＲＲＵは、通常、ＢＢＵから伝送される送信信号から、ＢＢＵと同期した動作クロックを再生する機能を有するＣＤＲ（Ｃｌｏｃｋ  Ｄａｔａ  Ｒｅｃｏｖｅｒｙ）回路と、ＣＤＲ回路が再生した再生クロックを用いて自装置の各デバイスに供給するための供給クロックを生成するＰＬＬとを備えている。
【０００８】
ＣＤＲ回路は、送信信号から得られるＢＢＵに同期したタイミングを検出し、このタイミングの位相と、ＰＬＬが生成した供給クロックの位相とが同期するように再生クロックを調整することで、ＢＢＵの動作クロックに同期したクロックが供給できるように構成されている。
ＣＤＲ回路は、送信信号が全く消失したり、信号欠如の状態が一定期間継続した場合、基準となる送信信号に基づいた同期タイミングを得ることができず、同期状態を維持できなくなり、同期タイミングと、供給クロックとの間の同期ずれ（ロック外れ）を生じさせてしまう。
【０００９】
従って、ＲＲＵは、ＣＤＲ回路に、同期タイミングと、供給クロックとの間の同期ずれ（ロック外れ）の発生を検知させることで、送信信号が全く伝送されなかったり、信号欠如の状態が一定期間継続したことを検知することができる。
【００１０】
しかし、送信信号が完全に消失せず、断続的に信号欠如が生じている状態である場合、ＣＤＲ回路において同期が保たれて信号欠如が検知されない可能性がある。
【００１１】
さらに、信号欠如が検知された後、適切な処理を速やかに行うためには、ＲＲＵが独自に判断し適切な処理を行うことが望ましい。
【００１２】
本発明はこのような事情に鑑みてなされたものであり、送信信号における信号欠如を適切に検知でき、適切な処理を速やかに行うことができる無線通信装置及びこれを用いた無線通信システムを提供することを目的とする。
【課題を解決するための手段】
【００１３】
（１）本発明は、既知信号を含んだ区間が周期的に配置された送信信号がベースバンド処理装置から与えられる無線通信装置であって、前記送信信号中の既知信号の検出結果に基づいて、前記送信信号における信号欠如の有無を判定する判定部を備えていることを特徴としている。
【００１４】
上記構成の無線基地局装置によれば、判定部が、前記送信信号中に周期的に配置された既知信号の検出結果に基づいて、前記送信信号における信号欠如の有無を判定するので、送信信号において一定周期ごとに信号欠如の有無を判定することができる。
この結果、送信信号において断続的に信号欠如が生じているとしても、周期的に信号欠如の有無を判定することで、送信信号における信号欠如を適切に検知することができる。
【００１５】
（２）上記無線基地局装置において、前記送信信号における前記区間に含まれる信号を取得する信号取得部と、前記信号取得部が取得した取得信号に基づいた相関値を、前記送信信号中の既知信号の検出結果として求める相関値計算部と、をさらに備え、前記判定部は、前記相関値計算部が求めた相関値に基づいて、前記送信信号における信号欠如の有無を判定することが好ましい。
なお、ここで相関値計算部は、前記取得信号に前記既知信号が含まれているか否かを判定するための参照信号と、前記信号取得部が取得した取得信号との間で相関値を求める。この参照信号としては、信号取得部が取得した前記取得信号とは異なる他の取得信号でもよいし、予め記憶した既知信号でもよい。
参照信号が、信号取得部が取得した前記取得信号とは異なる他の取得信号である場合、取得信号、及び他の取得信号は、互いに、一方の信号が、他方の信号に既知信号が含まれているか否かを判定するための参照信号を構成する。
【００１６】
（３）また、上記無線通信装置は、増幅器の入出力特性に生じる歪補償を行うための機能を備えている場合がある。
すなわち、上記無線通信装置において、前記送信信号が入力信号として入力されるとともに増幅された前記送信信号を出力信号として出力する増幅器と、前記増幅器の入出力特性に生じる歪補償を行う歪補償部と、をさらに備え、前記信号取得部は、前記入力信号における前記区間に含まれる信号、及び、前記出力信号における前記区間に含まれる信号を取得して前記相関値計算部及び前記歪補償部に与えるものであってもよい。
【００１７】
上記構成によれば、歪補償部が増幅器の歪補償を行うために必要な増幅器の入力信号及び出力信号を信号取得部が取得し、相関値計算部がこれら入出力信号を用いて相関値を求めるので、判定部と歪補償部とで信号取得部を兼用することができ、装置規模をコンパクトにすることができる。
【００１８】
（４）また、前記相関値計算部は、互いに異なる区間から取得された二つの取得信号を用いて相関値を求めるものであってもよい。この場合、二つの取得信号が共に既知信号を含む場合には、高い相関値が得られ、いずれか一方、又は両方が（信号欠如によって）既知信号を含まない場合には、低い相関値が得られる。このように、相関値計算部は、相関値を、前記送信信号中の既知信号の有無の検出結果として求めることができる。
【００１９】
（５）また、上記無線通信装置において、前記既知信号を記憶するための記憶部をさらに備え、前記相関値計算部は、前記信号取得部が取得した取得信号と、前記記憶部に予め記憶された前記既知信号との間の相関値を求めるものであってもよい。
この場合、前記区間から取得信号を取得すれば、予め記憶された既知信号との間で相関値を求めることができ、送信信号における信号欠如の有無を判定することができる。この結果、判定に係る処理が簡易となる。
【００２０】
（６）上記無線通信装置において、前記信号取得部は、所定の時間間隔で前記送信信号における前記区間に含まれる信号を取得し、前記相関値が予め定めた第一の閾値より小さい場合、前記信号取得部による前記取得信号を取得する時間間隔を小さくする制御を行う手段をさらに備えていてもよく、例えば、第一の閾値を取得信号に既知信号が含まれていないと明らかに判断できることで送信信号に信号欠如が生じていると判断できる値に設定すれば、判定部が送信信号に信号欠如が生じていると判定すると、前記手段が取得信号を取得する時間間隔を小さくするので、断続的に送信信号に信号欠如が生じたとしても、確実に信号欠如の有無を判定することができる。
【００２１】
（７）また、前記判定部は、前記相関値を、予め定めた第二の閾値より小さいと判定した回数に基づいて、前記送信信号における信号欠如の有無を度合として判定するものであってもよい。
より具体的には、前記判定部は、前記相関値が、前記第二の閾値より小さい場合、過去の一定期間の間に前記第二の閾値より小さいと判定した回数を頻度として求め、前記頻度に応じて、前記送信信号における信号欠如の度合を判定することもできる。
上記構成において、例えば、第二の閾値を取得信号に既知信号が含まれていないと明らかに判断できることで送信欠如が生じていると判断される値に設定すれば、判定部は、送信信号に信号欠如が生じていると判定された頻度を求めることができ、この頻度に基づいて、送信信号における信号欠如を度合として判定することができる。さらに、信号欠如を度合として判定することで、信号欠如に対する処理をより好適に行うことができる。
【００２２】
上記頻度が極端に少なければ、送信信号における信号欠如が断続的に生じているとは認められないので、前記判定部は、予め定めた所定の閾値（閾値ＦＴｈ１）よりも前記頻度が小さい場合、前記送信信号に信号欠如が無いと判定するものであってもよい。
送信信号の信号欠如が断続的に生じているとは認められないとしても、信号欠如が生じている可能性があるので、前記頻度が前記所定の閾値（閾値ＦＴｈ１）より小さいことから信号欠如が無いと、前記判定部が判定した場合、この判定についてのログを残す手段をさらに備えていることが好ましい。
この場合、信号欠如の頻度が小さくとも、信号欠如が生じていると判定されているので、この判定についてのログを残すことで、予防的な処理を実施することができる。
【００２３】
（８）前記判定部は、前記信号欠如の度合を、軽度の信号欠如か、重度の信号欠如のいずれであるかを判定し、軽度の信号欠如と判定する場合、前記ベースバンド処理装置に対して警告の通知、及び／又は、この判定についてのログの記録を行う手段と、重度の信号欠如と判定する場合、前記送信信号の送信停止、及び／又は、自装置の再起動を行う手段と、をさらに備えていることが好ましい。
この場合、送信信号の欠如の度合に応じた好適な処理を、無線通信装置側の判断で速やかに行うことができる。
【００２４】
より具体的には、前記判定部は、前記頻度が前記所定の閾値（閾値ＦＴｈ１）以上でかつ、前記所定の閾値よりも大きい値に設定された他の所定の閾値（閾値ＦＴｈ２）よりも小さい場合、前記送信信号に軽度の信号欠如があると判定するように構成されていてもよく、この場合、前記送信信号に軽度の信号欠如があると前記判定部が判定すると、前記ベースバンド処理装置に対して警告の通知、及び／又は、この判定についてのログの記録を行うことができる。
【００２５】
一方、前記頻度が前記他の所定の閾値（閾値ＦＴｈ２）以上である場合、前記判定部は、前記送信信号に重度の信号欠如があると判定するように構成されていてもよく、この場合、前記送信信号に重度の信号欠如があると前記判定部が判定すると、前記送信信号の送信停止、及び／又は、自装置の再起動を行うことができる。
以上のように、上記構成によれば、送信信号の欠如の度合に応じた好適な処理を、無線通信装置側の判断で速やかに行うことができる。
【００２６】
（９）また、上記無線通信装置において、前記判定部は、前記相関値が予め定めた第三の閾値以上である場合、前記送信信号に信号欠如が無いと判定するものであることが好ましい。
上記の場合、相関値が第三の閾値に近い値で信号欠如が無いと判定される場合もあるため、前記相関値が、予め設定された前記送信信号に信号欠如が無いと判定しうる値である第三の閾値以上でかつ、前記第三の閾値よりも大きい値に設定された第四の閾値よりも小さいと前記判定部が判定すると、この判定についてのログを残す手段をさらに備えていてもよい。
この場合、送信信号に信号欠如が無いと判定されても、判定についてのログを残すことで、予防的な処理を実施することができる。
【００２７】
（１０）また、本発明は、ベースバンド処理装置と、既知信号を含んだ区間が周期的に配置された送信信号が前記ベースバンド処理装置から与えられる無線通信装置と、を備えた無線通信システムであって、前記無線通信装置は、前記送信信号中の既知信号の検出結果に基づいて、前記送信信号における信号欠如の有無を判定する判定部を備えていることを特徴としている。
上記構成の無線通信システムによれば、上述のように、送信信号における信号欠如を適切に検知でき、適切な処理を速やかに行うことができる。
【発明の効果】
【００２８】
本発明の無線通信装置及び無線通信システムによれば、送信信号における信号欠如を適切に検知でき、適切な処理を速やかに行うことができる。
【図面の簡単な説明】
【００２９】
【図１】無線通信システムの一例としての無線基地局装置を示すブロック図である。
【図２】ＷｉＭＡＸの無線フレームの構造を示す図である。
【図３】ＲＲＵ３の無線処理部の構成を示すブロック図である。
【図４】第一実施形態に係る送信信号処理部の構成を示すブロック図である。
【図５】両信号取得部が、フレームタイミング信号に基づいて、プリアンブル区間に含まれる信号を取得信号として取得する態様を説明するための図である。
【図６】送信信号に生じる信号欠如と、第一取得信号と第二取得信号との間の相関値との関係を説明するための図であり、（ａ）は、送信信号が正常に送信されることにより入力信号と出力信号それぞれが正常な場合、（ｂ）は、送信信号にＬＯＦが生じることにより、出力信号にＬＯＦが生じている場合、（ｃ）は、送信信号にＬＯＦが生じることにより、入力信号及び出力信号の両方においてＬＯＦが生じている場合の入力信号及び出力信号の態様を示している。
【図７】第二判定部が行う送信信号の信号欠如の判定処理を示すフローチャートである。
【図８】第二実施形態に係る送信信号処理部の構成を示すブロック図である。
【図９】第三実施形態に係る送信信号処理部の構成を示すブロック図である。
【図１０】第四実施形態に係る送信信号処理部の構成を示すブロック図である。
【発明を実施するための形態】
【００３０】
以下、本発明の好ましい実施形態について添付図面を参照しながら説明する。
〔１．通信システムの構成〕
図１は、無線通信システムの一例としての無線基地局装置１を示すブロック図である。この無線基地局装置１は、携帯電話などの端末装置が無線接続するものである。無線基地局装置１は、ベースバンドユニット（以下、単に、「ＢＢＵ」ということもある）２と、リモートラジオユニット（以下、単に、「ＲＲＵ」ということもある）３と、を備えたシステムである。なお、この無線基地局装置１は、例えば、ＷｉＭＡＸに準拠した無線通信を行うように構成されている。
【００３１】
図２は、ＷｉＭＡＸの無線フレームの構造を示す図である。図に示すように、ＷｉＭＡＸでは、複数の無線フレームが時間方向に並べて配置されている。一つの無線フレームは、時間方向に並べて配置された下りサブフレームＤＬ（下り送信信号の割当領域）と上りサブフレームＵＬ（上り送信信号の割当領域）とを含んで構成されており、ＴＤＤ（時分割複信）方式によって送信と受信の複信を行う通信システムとされている。なお、一つの無線フレームの長さは、５ｍｓｅｃである。
下りサブフレームＤＬは、先頭に、既知信号であるプリアンブル信号（Ｐｒｅａｍｂｌｅ）を含んでいる。プリアンブル信号は、基地局装置と、端末装置との間の同期に使用したり、端末装置が基地局装置からの信号強度を計測するための信号である。プリアンブル信号には、符号等が異なる複数のパターンが用意されている。
【００３２】
上記無線フレームにおいて、プリアンブル信号が下りサブフレームＤＬの先頭、つまり無線フレームの先頭に配置されているので、無線基地局装置１が送信する送信信号には、既知信号であるプリアンブル信号を含んだ期間であるプリアンブル区間が周期的に配置される。
なお、プリアンブル信号は、予め規定された既知信号であり、プリアンブル信号を含むプリアンブル区間の時間幅についても、予め定められた一定の値に設定されている。
【００３３】
図１に戻って、ＢＢＵ２とＲＲＵ３とは、光ファイバ４などの伝送路を用いた回線で接続されている。なお、伝送路として、光ファイバに代えて、電気ケーブルを採用してもよい。また、一つのＢＢＵ２に対して、一つのＲＲＵ３だけでなく、複数のＲＲＵ３を接続してもよい。
【００３４】
ＢＢＵ２とＲＲＵ３との間の接続インターフェースとして、ＯＢＳＡＩが採用されている。ただし、接続インターフェースとしては、ＣＰＲＩなど、他のものであってもよい。
なお、ＣＰＲＩにおいて、ＢＢＵ２はＲＥＣ（Ｒａｄｉｏ  Ｅｑｕｉｐｍｅｎｔ  Ｃｏｎｔｒｏｌ）とよばれ、ＲＲＵ３はＲＥ（Ｒａｄｉｏ  Ｅｑｕｉｐｍｅｎｔ）とよばれる。
【００３５】
ＢＢＵ２は、無線基地局装置１の上位ネットワークに接続するための上位ネットワークＩ／Ｆ２１と、通信を制御する通信制御部２２と、ＲＲＵ３との間で受け渡しされるベースバンド信号を処理するベースバンド信号部２３と、光Ｉ／Ｆ２４と、を備えている。
ＲＲＵ３は、光Ｉ／Ｆ３１と、アンテナ３３から送受信される高周波の無線信号を処理する無線処理部３２と、を備えている。
光Ｉ／Ｆ２４及び光Ｉ／Ｆ３１は、ＯＢＳＡＩに準拠した接続インターフェース部であり、ＯＢＳＡＩに準拠した伝送制御の処理を行う機能を有している。光Ｉ／Ｆ２４及び光Ｉ／Ｆ３１は、光ファイバ４とともに、ＢＢＵ２とＲＲＵ３とを接続する回線を構成している。
【００３６】
〔２．ＲＲＵの構成〕
図３は、ＲＲＵ３の無線処理部３２の構成を示すブロック図である。無線処理部３２は、一つの受信機５と、一つの送信機６と、を有している。受信機５及び送信機６は、デュープレクサ７を介してアンテナ３３に接続されている。
【００３７】
受信機５は、受信信号処理部５ａと、ＡＤＣ（ＡＤコンバータ）５ｂと、フィルタ５ｃと、ミキサ５ｄと、受信アンプ５ｅと、を備えている。
アンテナ３３にて受信された受信信号は、デュープレクサ７を介して、受信アンプ５ｅに与えられる。受信アンプ５ｅは、受信信号を増幅し、ミキサ５ｄに出力する。ミキサ５ｄには、図示しない発振器が接続されており、ミキサ５ｄは、前記発振器が発振する信号を用いて、受信信号の周波数をベースバンドにおける周波数に変換する。
ベースバンドの周波数に変換された受信信号は、バンドパスフィルタ等からなるフィルタ５ｃを介して、ＡＤＣ５ｂに与えられる。ＡＤＣ５ｂは、アナログ信号である受信信号をディジタル信号に変換し、受信信号処理部５ａに出力する。受信信号処理部５ａは、ディジタル変換された受信信号を直交復調し、復調された受信信号（ＩＱ信号）を光Ｉ／Ｆ３１を介して、ＢＢＵ２に送信する。
【００３８】
送信機６は、送信信号処理部６ａ、ＤＡＣ（ＤＡコンバータ）６ｂ、フィルタ６ｃ、ミキサ６ｄ、及び、送信アンプ６ｅを備えている。さらに、送信機６は、送信アンプ６ｅの出力信号を送信信号処理部６ａにフィードバックするための構成として、送信アンプ６ｅの後段に接続されたカプラ６ｆの他、ミキサ６ｇ、フィルタ６ｈ、及び、ＡＤＣ（ＡＤコンバータ）６ｉを備えている。
【００３９】
送信信号処理部６ａは、光Ｉ／Ｆ３１に接続されており、ディジタル信号（ＩＱ信号）としてＢＢＵ２から送信されてきた、無線送信すべきデータ信号（送信信号）を処理して、ＤＡＣ６ｂに出力する。また、送信信号処理部６ａは、送信アンプ６ｅの歪補償を行う機能や、データ信号に欠如が生じているか否かといった欠如の有無を判定する機能を有している（後に詳述する）。
【００４０】
ＤＡＣ６ｂは、ディジタル信号である送信信号をアナログ信号に変換し、バンドパスフィルタ等からなるフィルタ６ｃを介してミキサ６ｄに出力する。ミキサ６ｄには、図示しない発振器が接続されており、ミキサ６ｄは、前記発振器が発振する信号を用いて、送信信号を高周波信号に変換し、送信アンプ６ｅに出力する。
送信アンプ６ｅは、高周波信号に変換された送信信号が入力信号として入力されるとともに、増幅された送信信号を出力信号として出力する。送信アンプ６ｅの出力端子には、デュープレクサ７を介して、アンテナ３３が接続されており、送信アンプ６ｅが出力する出力信号（送信信号）は、アンテナ３３から送信される。
なお、以下の説明では、送信アンプ６ｅに入力される送信信号を入力信号、送信アンプ６ｅの出力端子から出力されてフィードバック信号として取得される増幅された送信信号を出力信号ともいう。
【００４１】
送信アンプ６ｅの出力端子後段に接続されているカプラ６ｆは、送信アンプ６ｅが出力する出力信号（増幅された送信信号）を取得し、ミキサ６ｇに与える。ミキサ６ｇ、フィルタ６ｈ、及び、ＡＤＣ６ｉは、それぞれ、受信機５のミキサ５ｄ、フィルタ５ｃ、及び、ＡＤＣ５ｂとほぼ同様の機能を有しており、カプラ６ｆが取得した出力信号は、ディジタル信号に変換されて、フィードバック信号として送信信号処理部６ａに与えられる。
【００４２】
また、無線処理部３２は、ＲＲＵ３の動作等を包括的に制御する制御部８を備えている。制御部８は、送信信号処理部６ａから与えられる、信号欠如の有無についての判定に関する判定結果の通知や、ＢＢＵ２との同期ずれの発生が検出された旨を示す検出通知を受信し、この通知に基づいて、例えば、送信信号の送信停止やＲＲＵ３の再起動等といったＲＲＵ３が行う処理に関する制御を行う。
【００４３】
〔３．送信信号処理部の第一実施形態〕
図４は、第一実施形態に係る送信信号処理部６ａの構成を示すブロック図である。
送信信号処理部６ａは、光Ｉ／Ｆ３１を介してＢＢＵ２から与えられる送信信号の直交変調等の処理を行う変調処理部４０と、変調後の送信信号に対して、送信アンプ６ｅの入出力特性に生じる歪補償を行う歪補償部４１とを備えている。
歪補償部４１は、送信アンプ６ｅに入力される入力信号（増幅前の送信信号）、及び、送信アンプ６ｅから出力される出力信号（増幅後の送信信号）を用いて入出力特性を表すモデルを推定し、この推定モデルに基づいて変調後の送信信号に対して歪補償を行う。歪補償部４１は、歪補償を行った後の送信信号をＤＡＣ６ｂに出力する。
【００４４】
送信信号処理部６ａは、歪補償部４０が歪補償を行うために用いる前記入力信号及び前記出力信号を取得するために、前記入力信号を取得し蓄積する入力信号バッファ部４２と、前記出力信号を取得し蓄積する出力信号バッファ部４３とを備えている。
【００４５】
入力信号バッファ部４２は、歪補償部４１と、ＤＡＣ６ｂとの間に接続されており、ＤＡＣ６ｂ等を介して送信アンプ６ｅに入力される入力信号を取得し、蓄積する。
出力信号バッファ部４３は、カプラ６ｆを介してフィードバックされる送信アンプ６ｅから出力される出力信号をディジタル信号に変換するＡＤＣ６ｉに接続されており、前記出力信号を取得し、蓄積する。入力信号バッファ部４２及び出力信号バッファ部４３には、個々に信号取得部４４，４５が接続されている。
【００４６】
両信号取得部４４，４５は、入力信号バッファ部４２及び出力信号バッファ部４３に蓄積された入力信号及び出力信号からプリアンブル区間（図２参照）に含まれる信号を取得信号として取得する。
両信号取得部４４，４５は、フレームタイミング取得部４６から与えられるフレームタイミング信号に基づいて信号（取得信号）を取得する。
【００４７】
上記フレームタイミング信号とは、送信信号の無線フレームのフレームタイミングを示す信号であり、ＢＢＵ２により生成される。
フレームタイミング取得部４６は、フレームタイミング信号をＢＢＵ２から取得し、両信号取得部４４，４５に与える。
【００４８】
図５は、両信号取得部４４，４５が、フレームタイミング信号に基づいて、プリアンブル区間に含まれる信号を取得信号として取得する態様を説明するための図である。
図５において、横軸は時間を示しており、上段から順に、無線基地局装置１が送信する下りの送信信号、フレームタイミング信号、信号取得タイミングをそれぞれ時間軸に対応付けて示している。
【００４９】
フレームタイミング信号は、図に示すように、信号レベルがＨレベルと、Ｈレベルよりも低いＬレベルのいずれかのレベルで送信される信号であり、各無線フレーム先頭のタイミングでＨレベルからＬレベルへ、又は、ＬレベルからＨレベルへ切り替わるように構成されている。従って、フレームタイミング信号は、レベルが切り替わるタイミングによって、各無線フレーム先頭のタイミングを示している。
【００５０】
プリアンブル区間は、上述したように、無線フレームの先頭から予め定められた一定の時間幅に設定されている。よって、各無線フレーム先頭のタイミングが認識できれば、プリアンブル区間を特定することができる。
そこで、両信号取得部４４，４５は、フレームタイミング信号に基づいて、各無線フレームの先頭のタイミングＴＳ、及びそのタイミングからプリアンブル信号が含まれる期間であるプリアンブル区間分だけ進んだタイミングＴＥを求め、プリアンブル区間を特定する。
両信号取得部４４，４５は、入力信号バッファ部４２及び出力信号バッファ部４３に蓄積された入力信号及び出力信号の内、タイミングＴＳから、タイミングＴＥの間に含まれる信号を取得することで、プリアンブル区間に含まれる信号を取得信号として取得することができる。
【００５１】
また、両信号取得部４４，４５は、全てのプリアンブル区間に含まれる取得信号を取得するようにすることもできるが、後述する、歪補償や、信号欠如の有無の判定を行うにあたって、全てのプリアンブル区間に含まれる信号を取得する必要性が低い場合もある。
そこで、本実施形態の両信号取得部４４，４５は、所定の時間を置いて、信号の取得を行う。
具体的には、両信号取得部４４，４５が取得信号を取得する時間間隔は、比較的短い間隔ＤＳと、それよりも長い間隔ＤＬの二種類の時間間隔に設定される。
上記両信号取得部４４，４５の取得信号を取得する時間間隔の設定は、制御部８によって行われる。なお、ここでは、二種類の時間間隔に設定できる場合を示すが、より多くの段階で時間間隔を設定できるようにしてもよい。
【００５２】
なお、入力信号バッファ部４２及び出力信号バッファ部４３に蓄積された入力信号及び出力信号のフレームタイミングは、各部による処理がなされているので、フレームタイミング信号により示されるタイミングより遅延誤差が生じている可能性がある。両信号取得部４４，４５は、その遅延誤差を補正しつつ取得信号を取得する。
図４に戻って、両信号取得部４４，４５は、取得した取得信号を相関値計算部４７に出力する。
【００５３】
相関値計算部４７は、信号取得部４４からの取得信号（以下、第一取得信号ともいう）と、信号取得部４５からの取得信号（以下、第二取得信号ともいう）との間の類似性の度合を示す相関値を求める。
【００５４】
相関値計算部４７は、相関値を「０」から「１」の範囲の値として求める。相関値計算部４７は、第一取得信号と第二取得信号との間の類似性の度合が高ければ高いほど「１」に近い値となり、類似性の度合が低ければ低いほど「０」に近い値となるように相関値を求める。
つまり、前記相関値は、より「１」に近ければ近いほど両信号の相関が高く、「０」に近ければ近いほど両信号の相関が低いことを示している。
相関値計算部４７は、求めた相関値を第一判定部４８、及び第二判定部４９に与える。
【００５５】
第一判定部４８は、相関値計算部４７から与えられる相関値に基づいて、歪補償部４１による歪補償を実行するか否かを判定する。
【００５６】
ここで、歪補償を精度良く行うには、第一取得信号と、第二取得信号とが高い相関を有していることが必要であり、第一取得信号及び第二取得信号それぞれがプリアンブル信号として精度良く取得されていることを要する。
そこで、第一判定部４８は、例えば、相関値が「０．９」以上で、歪補償を実行する旨の判定を行うように構成されている。
第一判定部４８は、相関値が「０．９」以上であれば、第一及び第二取得信号を歪補償部４１に与え、歪補償部４１に歪補償を実行させる。
【００５７】
第二判定部４９は、相関値計算部４７から与えられる相関値を前記送信信号中の既知信号の検出結果として取得し、これに基づいて送信信号における信号欠如の有無を判定する。
図６は、送信信号に生じる信号欠如と、第一取得信号と第二取得信号との間の相関値との関係を説明するための図であり、図６（ａ）は、送信信号が正常に送信されることにより入力信号と出力信号それぞれが正常な場合、（ｂ）は、送信信号にＬＯＦが生じることにより、出力信号にＬＯＦが生じている場合、（ｃ）は、送信信号にＬＯＦが生じることにより、入力信号及び出力信号の両方においてＬＯＦが生じている場合における、両バッファ部４２，４３に蓄積される入力信号及び出力信号の態様を示している。
【００５８】
図６（ａ）に示すように、ＬＯＦが生じることなく、送信信号が正常に送信されていれば、入力信号及び出力信号のプリアンブル区間にはプリアンブル信号が含まれているので、信号取得部４４，４５が取得する両取得信号は、共にプリアンブル信号を含んでおり、両者の間の類似度の度合が高くなる。よって、相関値計算部４７が求める相関値は高い値となる。
【００５９】
一方、送信信号にＬＯＦが生じると、例えば、図６（ｂ）に示すように、出力信号にのみＬＯＦが生じた場合、第二取得信号は、プリアンブル信号を含まず、雑音成分を含むこととなる。よって、プリアンブル信号を含んでいる第一取得信号とプリアンブル信号を含まない第二取得信号との間の類似度の度合は低く、相関値は低い値となる。
【００６０】
また、例えば、図６（ｃ）に示すように入力信号と出力信号の両方にＬＯＦが生じた場合、両取得信号は、共に、プリアンブル信号を含まず、雑音成分を含むこととなる。雑音成分同士は無相関なので、この場合も、相関値は低い値となる。
【００６１】
このように、相関値計算部４７が両取得信号から求める相関値は、送信信号中にプリアンブル信号が含まれていれば、高い値となり、含まれていなければ、低い値となる。すなわち、相関値は、送信信号中のプリアンブル信号の検出結果として求められる。
図６では、ＬＯＦが生じた場合、すなわち無線フレーム単位で信号欠如が生じる場合を示しており、相関値に基づいて、プリアンブル区間から取得される取得信号にプリアンブル信号が含まれているか否かを検出すれば、無線フレーム単位の信号欠如を判定することができる。
【００６２】
また、無線フレーム単位でなく、無線フレームの一部分が欠如するような信号欠如が生じたとしても、送信信号には、プリアンブル信号を含むプリアンブル区間が、各無線フレームそれぞれに含まれることで、一定周期間隔で配置されている。よって、プリアンブル区間から取得される取得信号にプリアンブル信号が含まれていれば、少なくともこのプリアンブル区間においては信号欠如は生じておらず、さらに、このプリアンブル区間前後の信号についても信号欠如がなく正常な送信信号であると推定することができる。
【００６３】
一方、プリアンブル区間から取得される取得信号がプリアンブル信号であると判断できないような雑音成分であるとすると、少なくともこのプリアンブル区間においては信号欠如が生じており、その区間前後の信号は正常ではなく、信号欠如が生じている可能性が高いと推定することができる。
このように、本発明の第二判定部４９は、送信信号に一定頻度に配置されたプリアンブル区間から取得される両取得信号の間の相関値に基づいて、送信信号における信号欠如の有無を判定することができる。
【００６４】
図４に戻って、第二判定部４９は、信号欠如の有無について判定した判定結果を制御部８に通知する。
なお、第二判定部４９が行う送信信号の信号欠如の判定処理の詳細については、後に詳述する。
【００６５】
また、本実施形態の送信信号処理部６ａは、ＢＢＵ２からの送信信号からＢＢＵ２と同期した動作クロックを再生するＣＤＲ（Ｃｌｏｃｋ  Ｄａｔａ  Ｒｅｃｏｖｅｒｙ）部５０と、ＣＤＲ部５０が再生した再生クロックを用いて自装置の各デバイスに供給するための供給クロックを生成するＰＬＬ５１とを備えている。
ＣＤＲ部５０は、送信信号から得られるＢＢＵ２に同期したタイミングを検出し、このタイミングの位相と、ＰＬＬ５１が生成した供給クロックの位相とが同期するように再生クロックを調整することで、ＢＢＵ２の動作クロックに同期したクロックが供給できるように構成されている。
【００６６】
ＣＤＲ部５０は、送信信号が全く消失したり、信号欠如の状態が一定期間継続した場合、基準となる送信信号に基づいた同期タイミングを得ることができず、同期状態を維持できなくなり、同期タイミングと、供給クロックとの間の同期ずれ（ロック外れ）を生じさせてしまう。
【００６７】
ＣＤＲ部５０は、上記のような、同期タイミングと、供給クロックとの間の同期ずれ（ロック外れ）の発生を検知することで、送信信号が全く伝送されなかったり、欠如した状態が一定期間継続したことを検知することができる。
ＣＤＲ部５０は、上記ロック外れを検出すると、ロック外れを検出した旨を示すロック外れ検出通知を制御部８及び第二判定部４９に出力する。
次に、第二判定部４９が行う送信信号の信号欠如の判定処理について説明する。
【００６８】
〔４．信号欠如の判定処理〕
図７は、第二判定部４９が行う送信信号の信号欠如の判定処理を示すフローチャートである。
まず、第二判定部４９は、相関値計算部４７から相関値を取得すると（ステップＳ１）、ＣＤＲ部５０からのロック外れ検出通知の受信の有無を判定する（ステップＳ２）。
ＣＤＲ部５０からロック外れ検出通知を受信していると判定した場合、第二判定部４９は、ステップＳ１２に進み、第一の欠如判定を制御部８に通知し（ステップＳ１２）、スタートに戻る。
【００６９】
第一の欠如判定とは、ＲＲＵ３の再起動や送信停止を要する程度に重度の信号欠如がある旨を示す判定である。ＣＤＲ部５０において、ロック外れが検出された場合、上記のように、送信信号が全く伝送されなかったり、信号欠如した状態が一定期間継続したことを示すので、第二判定部４９は、重度の信号欠如があると判定し、第一の欠如判定を通知する。第一の欠如判定を受信した制御部８は、ＲＲＵ３の再起動、又は、送信停止の処理を行う。
【００７０】
ステップＳ２において、ロック外れ検出通知を受信していないと判定した場合、第二判定部４９は、相関値が「０．５」より小さいか否かを判定する（ステップＳ３）。
相関値が「０．５」より小さくない、すなわち、相関値が「０．５」以上であると判定すると、第二判定部４９は、さらに、相関値が「０．９」より小さいか否かを判定する（ステップＳ４）。
【００７１】
相関値が「０．９」より小さいと判定すると、第二判定部４９は、第一の正常判定を制御部８に通知し（ステップＳ５）、スタートに戻る。
第一の正常判定とは、無線通信を行うのに問題程度に信号欠如はない旨を示す判定である。第一の正常判定を受信した制御部８は、その判定についてのログを残す処理を行う。
【００７２】
ステップＳ４において、相関値が「０．９」より小さくない、すなわち、相関値が「０．９」以上であると判定すると、第二判定部４９は、第二の正常判定を制御部８に通知し（ステップＳ６）、戻る。
第二の正常判定とは、信号欠如がない旨を示す判定である。相関値が「０．９」以上である場合、プリアンブル区間においてプリアンブル信号の欠如はないと判断できるからである。第二の正常判定を受信した制御部８は、信号欠如がないことを認識する。
【００７３】
以上のように、第二判定部４９は、相関値が「０．５」以上である場合（ステップＳ３）、第一及び第二の正常判定を制御部８に通知することで（ステップＳ５，Ｓ６）、送信信号における信号欠如がないと判定する。
つまり、本実施形態では、相関値の判定を行う上で、「０．５」を閾値としており、「０．５」より小さければ、第一及び第二取得信号の内のいずれかに信号欠如があり、送信信号において信号欠如が生じていると判定するように構成されている。
【００７４】
また、ステップＳ３において、相関値が「０．５」に近い値で信号欠如がないと判定される場合もあるため、相関値が「０．５」（第三の閾値）以上でかつ、「０．５」よりも大きい値である第四の閾値としての「０．９」よりも小さいと第二判定部４９が判定すると、制御部８は、この判定についてのログを残す処理を行う。
これにより、送信信号に信号欠如が無いと判定された場合においても、上記判定についてのログを残すことで、予防的な処理を実施することができる。
【００７５】
一方、ステップＳ３において、相関値が「０．５」より小さいと判定された場合、第二判定部４９は、信号取得部４４，４５による第一及び第二取得信号を取得する時間間隔が、間隔ＤＬに設定されているか否かを判定する（ステップＳ７）。
【００７６】
第一及び第二取得信号を取得する時間間隔が、間隔ＤＬに設定されている場合、第二判定部４９は、第一及び第二取得信号を取得する時間間隔の設定を、間隔ＤＬよりも短い間隔である間隔ＤＳに変更させるための通知を制御部８に送信する（ステップＳ８）。
上記通知を受信した制御部８は、第一及び第二取得信号を取得する時間間隔が間隔ＤＳとなるように信号取得部４４，４５を制御する。これによって、第一及び第二取得信号を取得する時間間隔は、より短い間隔である間隔ＤＳに変更される。
【００７７】
ステップＳ７において、第一及び第二取得信号を取得する時間間隔がすでに間隔ＤＳに設定されている場合、第二判定部４９は、ステップＳ９に進む。
【００７８】
上記のように本実施形態では、第二判定部４９が、相関値が予め定めた第一の閾値としての「０．５」より小さい場合、信号取得部４４，４５による取得信号を取得する時間間隔を小さい値である間隔ＤＳとする制御を行う。つまり、相関値が「０．５」より小さいことから、第一又は第二取得信号にプリアンブル信号が含まれておらず送信信号に信号欠如が生じていると第二判定部４９が判定すると、制御部８が第一及び第二取得信号を取得する時間間隔を小さくするので、断続的に送信信号に信号欠如が生じたとしても、確実に信号欠如の有無を判定することができる。
【００７９】
次いで、第二判定部４９は、過去の一定期間の間に相関値が「０．５」より小さいと判定した回数、つまり、送信信号に信号欠如が生じたと判定した回数を頻度Ｆとして求める（ステップＳ９）。
【００８０】
第二判定部４９は、求めた頻度Ｆが予め定めた閾値ＦＴｈ１以上であるか否かを判定する（ステップＳ１０）。
頻度Ｆが閾値ＦＴｈ１以上でない、すなわち、閾値ＦＴｈ１より小さいと判定すると、第二判定部４９は、ステップＳ５に進み、制御部８に対して、第一の正常判定を通知し（ステップＳ５）、スタートに戻る。ここで、閾値ＦＴｈ１は、信号欠如が発生した頻度として比較的少なく、信号欠如が断続的、又は連続的に生じているとは認められない程度の値に設定されている。
【００８１】
頻度Ｆが極端に少なければ、送信信号における信号欠如が断続的に生じているとは認められないので、第二判定部４９は、頻度Ｆが予め定めた所定の閾値としての閾値ＦＴｈ１よりも小さいと、突発的に発生した信号欠如と判断し、第一の正常判定の通知を行うことで、送信信号に信号欠如が無いと判定する。
なお、送信信号の信号欠如が断続的に生じているとは認められないとしても、信号欠如が生じている可能性があるので、頻度Ｆが閾値ＦＴｈ１より小さいことから信号欠如が無いものとみなす判定を、第二判定部４９がした場合、当該第二判定部４９は、第一の正常判定の通知を行うことで、制御部８にこの判定についてのログを残す処理を行わせる。
信号欠如の頻度が小さくとも、信号欠如が生じていると判定されているので、この判定についてのログを残すことで、予防的な処理を実施することができる。
【００８２】
ステップＳ１０において、頻度Ｆが閾値ＦＴｈ１以上であると判定すると、第二判定部４９は、頻度Ｆが閾値ＦＴｈ１よりも大きい値に設定された閾値ＦＴｈ２以上か否かを判定する（ステップＳ１１）。ここで、閾値ＦＴｈ２は、信号欠如が発生した頻度として多く、信号欠如が断続的、又は連続的に生じていると認められる値に設定されている。
【００８３】
頻度Ｆが閾値ＦＴｈ２以上であると判定すると、第二判定部４９は、制御部８に対して第一の欠如判定を通知し（ステップＳ１２）、戻る。
第一の欠如判定は、上述のように、重度の信号欠如が生じている旨を示す判定である。よって、頻度Ｆが他の所定の閾値である閾値ＦＴｈ２以上である場合、第二判定部４９は、第一の欠如判定を通知することで、送信信号に重度の信号欠如があると判定するように構成されており、さらにこの場合、第二判定部４９が送信信号に重度の信号欠如があると判定すると、制御部８が、第一の欠如判定の通知に応じて、送信信号の送信停止、又は、自装置の再起動の処理を行う。
このため、第二判定部４９の判定に応じた適切な処理としての送信信号の送信停止、又は、自装置の再起動を、ＲＲＵ３側の判断で速やかに行うことができる。
【００８４】
また、ステップＳ１１において、頻度Ｆが閾値ＦＴｈ２以上でない、すなわち、頻度Ｆが閾値ＦＴｈ１以上でかつ、閾値ＦＴｈ２よりも小さい場合、第二判定部４９は、制御部８に対して第二の欠如判定を通知し（ステップＳ１３）、戻る。
第二の欠如判定とは、第一の欠如判定のように重度の信号欠如にまでは至らない程度の軽度の信号欠如がある旨を示す判定である。第二の欠如判定を受信した制御部８は、信号欠如が生じていることを知らせるためのアラーム等の警告をＢＢＵ２に送信する処理を行うとともに、この判定についてのログを残す処理を行う。
【００８５】
上記のように、第二判定部４９は、頻度Ｆが閾値ＦＴｈ１以上でかつ、閾値ＦＴｈ２よりも小さい場合、第二の欠如判定を通知することで、送信信号に軽度の信号欠如があると判定するように構成されており、さらに、第二判定部４９が送信信号に軽度の信号欠如があると判定すると、制御部８がＢＢＵ２に対して警告を通知し判定についてログを記録するので、第二判定部４９の判定に応じた適切な処理としてのＢＢＵ２に対する警告の通知やログの記録を、ＲＲＵ３側の判断で速やかに行うことができる。
【００８６】
以上のように、第二判定部４９は、相関値が第二の閾値としての値「０．５」より小さい場合、過去の一定期間の間に「０．５」より小さいと判定した回数を頻度Ｆとして求め、頻度Ｆに応じて、送信信号における信号欠如の度合を軽度又は重度のいずれに該当するかを判定することができる。
つまり、第二判定部４９は、相関値を、予め定めた第二の閾値としての値「０．５」より小さいと判定した回数を頻度に換算しこの頻度に基づいて、送信信号における信号欠如の有無を度合として判定している。
本実施形態において、相関値が第二の閾値としての値「０．５」より小さい場合、送信信号に信号欠如が生じていると判定するので、第二判定部４９は、送信信号に信号欠如が生じていると判定された頻度を求めることができ、この頻度に基づいて、送信信号における信号欠如を度合として判定することができる。さらに、信号欠如を度合として判定することで、信号欠如に対する処理をより好適に行うことができる。
【００８７】
さらに、本実施形態の第二判定部４９は、上述したように、信号欠如の度合を、軽度の信号欠如か、重度の信号欠如のいずれであるかを判定し、軽度の信号欠如と判定する場合、制御部８にＢＢＵ２に対して警告の通知、及び、この判定についてのログの記録を行わせ、重度の信号欠如と判定する場合、送信信号の送信停止、及び、自装置の再起動を行わせるので、送信信号の欠如の度合に応じた好適な処理を、無線通信装置側の判断で速やかに行うことができる。
【００８８】
なお、図７中、ステップＳ３及びステップＳ４にて示した相関値に関する閾値「０．５」、「０．９」は、例示的に示したものであって、これら値には限定されない。
【００８９】
〔５．効果について〕
以上の通り、本実施形態に係る無線基地局装置１のＲＲＵ３は、プリアンブル信号を含んだプリアンブル区間が周期的に配置された送信信号がＢＢＵ２から与えられる無線通信装置であって、送信信号中のプリアンブル信号の検出結果を示す第一及び第二取得信号から得られる相関値に基づいて、送信信号における信号欠如の有無を判定する第二判定部４９を備えている。
【００９０】
より具体的には、上記ＲＲＵ３は、送信信号におけるプリアンブル区間に含まれる信号を取得する信号取得部４４，４５と、信号取得部４４，４５が取得した第一及び第二取得信号に基づいた相関値を、送信信号中のプリアンブル信号の検出結果として求める相関値計算部４７と、をさらに備え、第二判定部４９は、相関値計算部４７が求めた相関値に基づいて、送信信号における信号欠如の有無を判定するように構成されている。
【００９１】
上記構成のＲＲＵ３によれば、第二判定部４９が、送信信号中に周期的に配置されたプリアンブル信号の検出結果に基づいて、送信信号における信号欠如の有無を判定するので、送信信号において一定周期ごとに信号欠如の有無を判定することができる。
この結果、送信信号において断続的に信号欠如が生じているとしても、周期的に信号欠如の有無を判定することで、送信信号における信号欠如を適切に検知することができる。
【００９２】
なお、ここで相関値計算部４７は、信号取得部４４，４５が取得した第一取得信号と第二取得信号との間の相関値を求める。この場合、第一及び第二取得信号は、互いに、一方の信号が、他方の信号に既知信号が含まれているか否かを判定するための参照信号を構成している。
【００９３】
また、本実施形態のＲＲＵ３は、増幅器としての送信アンプ６ｅの入出力特性に生じる歪補償を行うための機能を備えている。
すなわち、本実施形態のＲＲＵ３は、歪補償を行うための機能として、送信信号が入力信号として入力されるとともに増幅された送信信号を出力信号として出力する送信アンプ６ｅと、送信アンプ６ｅの入出力特性に生じる歪補償を行う歪補償部４１とを備えている。
【００９４】
信号取得部４４，４５は、前記入力信号及び前記出力信号におけるプリアンブル区間に含まれる信号を第一取得信号及び第二取得信号として取得して相関値計算部４７に与え、さらに、相関値計算部４７、及び第一判定部４８を介して歪補償部４１に与えるように構成されている。
【００９５】
この構成によれば、歪補償部４１が送信アンプ６ｅの歪補償を行うために必要な送信アンプ６ｅの入力信号及び出力信号を信号取得部４４，４５が取得し、相関値計算部４７が、これら入出力信号を用いて相関値を求めるので、第二判定部４９と、歪補償部４１とで信号取得部４４，４５を兼用することができ、装置規模をコンパクトにすることができる。
【００９６】
〔６．送信信号処理部の第二実施形態〕
図８は、第二実施形態に係る送信信号処理部６ａの構成を示すブロック図である。
本実施形態と第一実施形態との相違点は、第一判定部４８に相関値を与える（第一）相関値計算部４７に加えて、第二判定部４９に相関値を与える第二相関値計算部５５を備えている点、ＡＤＣ６ｉ（図３）と、（第一）出力信号バッファ部４３との間に接続され、出力信号を取り込む遅延処理部５２、遅延処理部５２が出力する遅延処理後の出力信号を取得して蓄積する第二出力信号バッファ部５３、及び、第二出力信号バッファ部５３に蓄積された出力信号からプリアンブル区間（図２）に含まれる信号を取得信号として取得する信号取得部５４を備えている点である。
【００９７】
遅延処理部５２は、出力信号に対して所定の遅延時間だけ遅延させる遅延処理を行う。従って、第二出力信号バッファ部５３に蓄積される出力信号は、第一出力信号バッファ部４３の出力信号に対して所定の遅延時間だけ遅延している。
信号取得部５４は、所定の遅延時間だけ遅延している出力信号のプリアンブル区間に含まれる信号を取得信号として取得し、取得した信号（以下、第三取得信号ともいう）を第二相関値計算部５５に対して出力する。よって、第三取得信号は、第二取得信号に対して所定の遅延時間だけ遅延しており、第二取得信号が取得されたプリアンブル区間とは異なる他のタイミングのプリアンブル区間から取得された信号となる。
【００９８】
第二相関値計算部５５は、信号取得部４５からの第二取得信号と、信号取得部５４からの第三取得信号との間の相関値を求める。
ここで第二相関値計算部５５は、互いに異なるタイミングのプリアンブル区間から取得された二つの取得信号である第二及び第三取得信号を用いて相関値を求める。この場合、第二取得信号及び第三取得信号が共にプリアンブル信号を含む場合には、高い相関値が得られ、いずれか一方、又は両方が（欠如によって）プリアンブル信号を含まない場合には、低い相関値が得られる。このように、第二相関値演算部５５は、相関値を、送信信号中のプリアンブル信号の有無の検出結果として求めることができる。
【００９９】
上記第一の実施形態では、送信アンプ６ｅに入力される入力信号に対応する出力信号をフィードバックして取得するため、入力信号と出力信号とは、互いに同じタイミングの無線フレームとなるように同期させる場合がある。よって、第一及び第二取得信号が、互いに同じタイミングのプリアンブル区間から取得された信号となる場合がある。
これに対して、本実施形態では、遅延処理部５２によって、確実に異なるタイミングの二つのプリアンブル区間から取得された信号によって相関値を求めることができるので、送信信号に含まれるプリアンブル信号をより効率よく検出することができる。
【０１００】
また、本実施形態の場合も、第二判定部４９が、送信アンプ６ｅの歪補償を行うために必要な機能部の内の一部を兼用するので、装置規模をコンパクトにできる。
【０１０１】
〔７．送信信号処理部の第三実施形態〕
図９は、第三実施形態に係る送信信号処理部６ａの構成を示すブロック図である。
本実施形態と第二実施形態との相違点は、第二相関値計算部５５に与えられる取得信号を取得するための機能部として、第二入力信号バッファ部６０、遅延処理部６２、第三入力信号バッファ部６３、及び、信号取得部６１，６４を備えている点である。
【０１０２】
本実施形態において、第二入力信号バッファ部６０及び遅延処理部６２は、歪補償部４１の後段に接続されており、共に、入力信号を取得する。
第二入力信号バッファ部６０は、入力信号を取得、蓄積する。第二入力信号バッファ部６０に接続された信号取得部６１は、第二入力信号バッファ部６０に蓄積された入力信号からプリアンブル区間に含まれる信号（以下、第四取得信号ともいう）を取得し、第二相関値計算部５５に出力する。
【０１０３】
遅延処理部６２は、入力信号に対して所定の遅延時間だけ遅延させる遅延処理を行う。従って、第三入力信号バッファ部６３に蓄積される入力信号は、第二入力信号バッファ部６０の入力信号に対して所定の遅延時間だけ遅延している。
第三入力信号バッファ部６３に接続された信号取得部６４は、所定の遅延時間だけ遅延している入力信号のプリアンブル区間に含まれる信号を取得し、取得した信号（以下、第五取得信号ともいう）を第二相関値計算部５５に対して出力する。よって、第五取得信号は、第四取得信号に対して所定の遅延時間だけ遅延しており、第四取得信号が取得されたプリアンブル区間とは異なる他のタイミングのプリアンブル区間から取得された信号となる。
【０１０４】
第二相関値計算部５５は、信号取得部６１からの第四取得信号と、信号取得部６４からの第五取得信号との間の相関値を求める。
ここで第二相関値計算部５５は、互いに異なるタイミングのプリアンブル区間から取得された第四及び第五取得信号を用いて相関値を演算する。これにより、第二相関値演算部５５は、相関値を、送信信号中のプリアンブル信号の有無の検出結果として求めることができる。
【０１０５】
本実施形態では、判定を行うために必要な相関値を求めるための取得信号を取得する機能部を、歪補償を行うための機能部と別個独立して備えているので、信号欠如の有無の判定に好適なタイミングで取得信号を取得することができる。
【０１０６】
〔８．送信信号処理部の第四実施形態〕
図１０は、第四実施形態に係る送信信号処理部６ａの構成を示すブロック図である。
本実施形態と第三実施形態との相違点は、遅延処理部６２、第三入力信号バッファ部６３、及び、信号取得部６４に代えて、第四取得信号にプリアンブル信号が含まれているか否かを判定するためのプリアンブル信号を予め記憶した記憶部６５を備えている点である。
【０１０７】
本実施形態の第二相関値計算部５５は、信号取得部６１からの第四取得信号と、記憶部６５に記憶されたプリアンブル信号との間の相関値を求める。第二判定部４９は、この相関値に基づいて、送信信号における信号欠如の有無を判定する。
【０１０８】
記憶部６５には、全てのパターンのプリアンブル信号がデータとして記憶されている。第二相関値計算部５５は、ＢＢＵ２からの通知によって、現状のプリアンブル信号のパターンを特定することができ、特定されるパターンのプリアンブル信号を記憶部６５から読み出して、相関値の計算に用いる。
本実施形態では、第四取得信号を取得すれば、予め記憶部６５に記憶されたプリアンブル信号との間で相関値を求めることができ、送信信号における信号欠如の有無を判定することができる。この結果、判定に係る処理が簡易となる。
【０１０９】
また、本実施形態において、ＢＢＵ２からのプリアンブル信号のパターンを特定するための通知が無くとも、第二相関値計算部５５は、全てのパターンのプリアンブル信号と現状のプリアンブル信号との相関値を求め、現状のプリアンブル信号を特定することもできる。
【０１１０】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【０１１１】
１      無線基地局装置（無線通信システム）
２      ベースバンドユニット（ベースバンド処理装置）
３      リモートラジオユニット（無線通信装置）
６ｅ    送信アンプ（増幅器）
８      制御部
４１    歪補償部
４４，４５，５４，６１，６４  信号取得部
４７    （第一）相関値計算部
４８    第一判定部（他の判定部）
４９    第二判定部（判定部）
５５    第二相関値計算部
６５    記憶部
【図１】
2012156633.tif 000003
【図２】
2012156633.tif 000004
【図３】
2012156633.tif 000005
【図４】
2012156633.tif 000006
【図５】
2012156633.tif 000007
【図６】
2012156633.tif 000008
【図７】
2012156633.tif 000009
【図８】
2012156633.tif 000010
【図９】
2012156633.tif 000011
【図１０】
2012156633.tif 000012